(57)【要約】【課題】住人から見て目立つ事無く、また、取り外す際に荷重が加わった場合でも鴨居を破壊する心配の無い、鴨居用のハンガー掛けが求められている。【解決手段】鴨居やドアモール等の上面からはみ出さない幅で、断面が高さの低い略直角三角形に成形された細長いハンガー掛けを、鴨居やドアモール等の上面に取り付ける事で、手前から奥の壁に向かって下り坂となる傾斜面を構成する。【選択図】図２
2010284484.tif 000002
【特許請求の範囲】
【請求項１】
居室の鴨居などに取り付け、ハンガーを掛ける物であって、以下の様に構成されている事を特徴とする、鴨居用ハンガー掛け。
Ａ，上面図において、幅５ｍｍから３０ｍｍ、長さ５０ｍｍ以上の略長方形または略長円形の、樹脂製、またはゴム製、または金属製、または木製の、成形品または加工品であり、その幅は、所定の幅で略一定とする。
Ｂ，幅方向に切った断面図において、底辺に対して左右のどちらか一方が２．５ｍｍから１０ｍｍの高さを有し、その反対側は高さが２ｍｍ以下として上面を傾斜させた。即ち、断面形状を略直角三角形、またはこれに類似した形状に構成した。
Ｃ，上面図において、直径５ｍｍ以上の略平面部を１ヶ所以上設けた。尚、平面部とは、幅方向に切った断面図において、底面と上面がほぼ平行な、略長方形になっている部分を指し、この上面の高さは、略直角三角形の頂点部分よりも低い事とする。
Ｄ，上記の略平面部のほぼ中央に、小孔や針孔を設けた、または画鋲などを刺し易くする為の小さな凹部や下穴を設けた、または画鋲などを刺す位置を示す為の黒点、またはこれに類するマークや目印を設けた、または何も設けずに平面状態とした。
Ｅ，以上の構成により、手前から奥の壁側に向かって上面が下り傾斜となる様に、鴨居やドアモール等の上部平面に取り付け可能とした。
【請求項２】
以下の、いずれかの特徴を有する、請求項１に記載の鴨居用ハンガー掛け。
１，本体全体の底面、または平面部分の底面のみに、両面テープを貼り付けた。
２，断面が略直角三角形に形成されている部分を、所定の厚さを残して底面側から肉抜きした形状とした。
３，傾斜した上面に、細かい凹凸を設けた、または長さ方向に伸びる複数のリブを設けた。
４，傾斜した上面を、断面状態で略凹形状の曲線とした。
５，略直角三角形の頂点近傍に、高さ５ｍｍ以下の長さ方向のリブ、または凸部を設けた。
６，本体の成形時に、針、釘、画鋲、またはこれらに類する金属、または硬質樹脂製の尖った部品を一体成形し、尖った部分が本体から下向きに突出する様に構成した。
７，本体の１ヶ所、または数ヶ所に、長さを短く切断する為の切り取り線を明記した、または部分的に切り込みを加え、容易に切断可能とした。尚、切断部は平面部分も含む。
８，本体の表面に、一端からの長さを示す数字や目盛りを記載した、または数字や目盛りを成形した、または数字や目盛りが印刷されたシール等を貼り付けた。
９，少なくとも直角三角形断面の垂直線に当たる面、即ち、鴨居等に取り付けた際、住人から直視可能な面を、木目加工した、または木目や木調色や暗色のシール等を貼り付けた。
１０，本体を、茶色、または白色、または黒色、または略透明な樹脂で成形した。
【発明の詳細な説明】
【技術分野】
【０００１】本発明は、主として居室内に洋服や洗濯物などを掛ける為の器具に関する。
【背景技術】
【０００２】洋服や洗濯物を吊下げたハンガーを居室内に掛けようとした場合、まず考えられるのが、壁の上部に設置された鴨居や、ドアの上部に設けられたモール等の活用である。
この部分は、壁やドアから２〜３ｃｍほど突出している為、ハンガーを掛けたくなるが、突出量が少ない為、そのままでは、軽く洗濯物などに触れた程度の僅かな揺れや振動で、ハンガーが滑って落下してしまう。この問題に対処する技術としては、例えば、以下の先願が周知となっている。
先願▲１▼：登録実用新案第３１０４５４７
先願▲２▼：特許公開２００２−０１１２９３
先願▲３▼：特許公開平８−０１９４６７
【発明の開示】
【発明が解決しようとする課題】
【０００３】前述の先願▲１▼▲２▼▲３▼は、一件便利そうに見えるが、以下の重大な欠陥が有る。
１、鴨居やドアモールは、そもそも『飾り』として設置されており、柱や梁の様に、荷重を受ける事を想定していない。従って、見た目は綺麗だが、強度の低い木材などを使用している事が多い。その為、先願▲１▼▲２▼▲３▼は、掛けてあるハンガーに子供がぶら下がるなどの無理な力を加えたり、また、取り外す際に下から洋服を引っ張った場合には、物理的にハンガーが固定されていて外れない為、結果的に、鴨居に大きな荷重が加わり、家を破壊する事になる。即ち、極めて危険と言える。
２、一般的に鴨居は、住人の背丈よりも高い位置に有る為、掛けてあるハンガーを取り外そうとすると、必ず斜め下方向に引っ張る事になる。従って、先願▲１▼▲２▼▲３▼の構造では、取り外す際に一旦、さらに持ち上げる必要が有り、背が低い女性などでは、使用者がいくら努力をしても、家を破壊する可能性が極めて高い。
３、鴨居やドアモールなどの目的は『飾り』であるから、そこに余計な物体を取り付ける事は、鴨居本来の機能を損なう事になる。ところが先願▲１▼▲２▼▲３▼は、取り付けた状態で非常に良く目立ち、鴨居の機能を損なっているので、『落第発明』と言える。
４、室内に洗濯物や洋服を吊下げる場合、強風が吹く事も無いので、しっかりと固定する必要は無く、軽く洋服に触れても落ちない程度に引っ掛かっていれば、要求機能は満足する。しかし先願▲１▼▲２▼▲３▼は、鴨居が破壊される事など一切考慮せず、ハンガーが外れない構造としており、過剰品質で、コストも高くなっている。
【課題を解決するための手段】
【０００４】鴨居やドアモール等の上面からはみ出さない幅で、断面が高さの低い略直角三角形に成形された細長いハンガー掛けを、鴨居やドアモール等の上面に取り付ける事で、手前から奥の壁に向かって下り坂となる傾斜面を構成する。
【発明の効果】
【０００５】断面が、低い直角三角形の本発明品を、垂直面を手前側にして鴨居の上部に取り付ける事により、鴨居の上部が奥側（壁側）に向かって下向きに傾斜した状態になる。その為、掛けたハンガーは、本発明品を未使用の状態と比べると、適度に外れ難くなり、室内で簡易的に洗濯物や洋服を掛ける目的を十分に果たし、極めて実用的である。
また、住人が下から見上げた場合でも、鴨居の上に高さ数ｍｍの本発明品が乗っているだけなので、ほとんど目立つ事が無く、飾りとしての鴨居の機能・目的を損なわない。
掛けたハンガーを外す場合など、一定以上の荷重を加えれば、ハンガーが本発明品の上面の傾斜面を滑り上る事で簡単に外れる為、鴨居などを破壊する事が無い。
以上の通り、本発明品によれば、前述の課題を全て解決する事が可能である。
【発明を実施するための最良の形態】
【０００６】鴨居やドアモールの上面から、はみ出さない幅の細長い樹脂成形品とし、その断面は、高さの低い略直角三角形とする。
また、本体の１ヶ所、または数ヶ所に平面部を設け、画鋲で鴨居に取り付ける為の小孔を設ける。
【実施例】
【０００７】図１は、本発明品の鴨居用ハンガー掛けの上面図を表す。本体１は、細長い樹脂成形品であり、その幅は、一般的な鴨居やドアモールなどの上面からはみ出さない様に、約５ｍｍから３０ｍｍの幅に設定する。尚、本発明品の長さは概ね５０ｍｍ以上とし、ドアモールの端部のみへ使用する場合から、和室の鴨居の端から端まで全てに使用する事も可能な、非常に細長い物である。図１では、下側を省略してあるが、例えば長さ２ｍの場合も有りうる。尚、本製品の幅は、１つの製品において、所定の幅で略一定とする。
４は本体上面の傾斜した面であり、５は略垂直面を表す。２は、本体１の１ヶ所から数ヶ所に設けられた平面部分を表し、３は、平面部２に設けた小孔を表す。
以上の様に構成された本発明品を鴨居の上に乗せる。その際、略垂直面５を手前側、即ち壁と反対側になる向きで鴨居に乗せ、３の小孔に合せて画鋲を使用して固定する。
平面部２は、本発明品の全長が短い場合は、その両端に設ければ良く、全長が長い場合は、両端部の他に、中間部分にも所定の間隔で設けておけば確実に固定できる上、住人が下から見上げても、全く目立つ事が無い。【０００８】図２は、本発明品を鴨居１０の上に装置した状態の、傾斜面４の部分の断面図である。
９は壁であり、本体１は略垂直面５を手前側にして鴨居９に固定されている。この状態で、ハンガー１１の先端部は、傾斜面４の上に乗っている為、壁側に向かって滑り動く力が働き、ハンガーは僅かな振動等では落ちる事がない。また、住人が下から見上げても、見えるのは高さ数ｍｍの略垂直面５だけなので、ほとんど目立たない。
ハンガーを取り外す際は、斜め下から掛けてある洋服を軽く引っ張れば、ハンガー１１の先端は緩い斜面を滑り上る為、強度の低い鴨居１０を傷める事無く、簡単に取り外す事が可能となる。
以上が、請求項１に記載された本発明の実施例である。【０００９】図３は、請求項２に記載された本発明品の実施例の断面図を表す。
８は、下面側から肉抜きされた空間であり、軽量化とコストダウンの役目を果たす。またこの空間によって本体が変形し易くなる為、掛けられたハンガーを取り外す際、斜め下方向から無理な力を加えると本体が変形し、家（鴨居）を破壊する事無く、ハンガーを取り外す事が可能となる。
７は、本体の上面を凹形状にした場合の一例を示す。この形状により、８の肉抜きと同様、軽量化とコストダウンが図れる。
６は、略直角三角形の頂点近傍に設けた長さ方向に伸びるリブを表す。本体全体の高さを低くした場合でも、このリブによってハンガーが滑り落ちる事を防止できる為、やはり、軽量化とコストダウンを図る事ができる。
尚、本発明品は、使用する鴨居やドアモール等の長さに応じて、適宜全長を調整できれば利便性がさらに高くなる。そこで、十分な長さの成形品を用意しておき、取り付け場所の長さに応じて切断して使う事が望ましい。そこで本発明では、本体に切り取り線を設けたり、部分的に切り込みを入れておく構造も提供する事で、利便性を高めている。また、この構造・機能により、複数の長さの成形型を作る必要が無く、例えば日本間に合せて長さ９０ｃｍ程度の型を１種類だけ作っておけば事足りるので、コストダウンにも大いに貢献できる。
さらに、本発明品の本体を樹脂成形する際、透明の材料や木材に近い色とすれば、より目立たなくなり、鴨居やドアモールなどの意匠性を損なう事も無くなる。
以上が、請求項２に記載された本発明の実施例である。
【産業上の利用可能性】
【００１０】室内に洗濯物や洋服などを掛けたい場合に、簡易的な器具として極めて利便性が高い。特に、既存の技術と異なり、無理な力が加わった場合でも家（鴨居やモール）を破壊する心配が無く、また、取り付けた状態でもほとんど目立たず、飾りとしての鴨居やドアモール本来の機能や目的を損なう事が無い上、一体成形で安く作る事ができる。
即ち、実用性や利便性が極めて高く、新規性も高い発明である。
【図面の簡単な説明】
【００１１】
【図１】本発明品の上面図を表す。
【図２】本発明品を使用している状態の断面図を表す。
【図３】本発明品の請求項２に記載された構造の断面図を表す。
【符号の説明】
【００１２】  １、本体
２、平面部
３、小孔
４、傾斜面
５、略垂直面
６、長さ方向のリブ
７、凹形状の上面
８、肉抜きされた空間
９、居室の壁
１０、鴨居（または、ドアモール）
１１、洋服用ハンガーの上部
【図１】
2010284484.tif 000003
【図２】
2010284484.tif 000004
【図３】
2010284484.tif 000005